(57)【要約】【課題】各々が複数の視聴者を楽しませる複数の画像フレームを有しているような複数の画像ストリームを表示するための装置及び方法を提供する。 【解決手段】本装置では、各々が複数の画像フレームを含んでいる少なくとも３つの別々の画像ストリームを生成するための少なくとも３つの画像生成器を含む。これらの画像生成器の内の少なくとも１つは、少なくとも１つの視聴者入力のために構成される。画像マルチプレクサが、各画像ストリームの画像フレームをインターリーブして、インターリーブ型画像ストリームを作成するために設けられ、また、表示装置が、該インターリーブ型画像ストリームを表示するために設けられる。【選択図】図１
2010512058.tif 000002
【特許請求の範囲】
【請求項１】
各々の画像ストリームが複数の視聴者を楽しませるための複数の画像フレームを有しているような複数の画像ストリームを表示する方法であって、
複数の画像フレームを有する少なくとも３つの別々の画像ストリームを生成し、これらの別々の画像ストリームの内の少なくとも１つに対して少なくとも一人の視聴者からの入力を供給する段階と、
各画像ストリームの複数の画像フレームをインターリーブして、インターリーブ型画像ストリームを作成する段階と、
前記インターリーブ型画像ストリームを表示する段階と、
を有する方法。
【請求項２】
各画像フレームの前記インターリーブが逐次的である、請求項１記載の方法。
【請求項３】
更に、表示される前記インターリーブ型画像ストリームをフィルタリングして、前記視聴者の一人によって見るために前記画像ストリームの１つを分離する段階を有している請求項１記載の方法。
【請求項４】
前記インターリーブ型画像ストリームは、二次元画像を表示するために構成されているインターリーブ型画像ストリームを有する、請求項３記載の方法。
【請求項５】
前記インターリーブ型画像ストリームは、三次元画像を表示するために構成されているインターリーブ型画像ストリームを有する、請求項３記載の方法。
【請求項６】
表示される前記インターリーブ型画像ストリームをフィルタリングする前記段階は、偏光レンズを設けることを有する、請求項３記載の方法。
【請求項７】
更に、背景画像を生成して、該背景画像を前記インターリーブ型画像ストリームと共に表示する段階を有している請求項１記載の方法。。
【請求項８】
前記背景画像及び前記インターリーブ型画像ストリームを表示する前に前記インターリーブ型画像ストリームが前記背景画像から減算される、請求項７記載の方法。
【請求項９】
少なくとも一人の視聴者からの入力を供給する前記段階は、少なくとも一人の視聴者の入力に基づいて少なくとも１つのストーリーの筋を変化させるための応答性画像供給源を設けることを有している、請求項１記載の方法。
【請求項１０】
表示される前記インターリーブ型画像ストリームをフィルタリングする前記段階は、前記インターリーブ型画像ストリームのフレーム速度と同期して所定の期間にわたって開閉する複数のシャッタを設けることを有している、請求項３記載の方法。
【請求項１１】
各々のシャッタは約１／１８０秒にわたって開き、また前記フレーム速度はほぼ３０フレーム／秒である、請求項１０記載の方法。
【請求項１２】
前記インターリーブ型画像ストリームを表示する前記段階は、複数の投映器を設けることを含み、これらの投映器の内の１つが背景画像ストリームを投映する、請求項１記載の方法。
【請求項１３】
各々の画像ストリームが複数の視聴者を楽しませる複数の画像フレームを有しているような複数の画像ストリームを表示するための装置であって、
各々が複数の画像フレームを有する少なくとも３つの別々の画像ストリームを生成するための少なくとも３つの画像生成器であって、少なくとも１つの画像生成器が少なくとも１つの視聴者入力のために構成されている、当該少なくとも３つの画像生成器と、
各画像ストリームの複数の画像フレームをインターリーブして、インターリーブ型画像ストリームを作成するための画像マルチプレクサと、
前記インターリーブ型画像ストリームを表示する表示装置と、
を有する装置。
【請求項１４】
更に、表示される前記インターリーブ型画像ストリームをフィルタリングして、前記視聴者の一人によって見るために前記画像ストリームの１つを分離する少なくとも１つのフィルタを有している請求項１３記載の装置。
【請求項１５】
前記少なくとも１つのフィルタは偏光レンズを有している、請求項１４記載の装置。
【請求項１６】
更に、前記インターリーブ型画像ストリームと共に表示するための背景画像を生成する背景画像供給源を有している請求項１３記載の装置。
【請求項１７】
前記インターリーブ型画像ストリームは、前記背景画像が前記インターリーブ型画像ストリームと共に表示される前に、前記背景画像から減算される、請求項１６記載の装置。
【請求項１８】
前記表示装置は複数の画像投映器を有し、これらの画像投映器の内の１つが背景画像ストリームを投映する、請求項１３記載の装置。
【請求項１９】
少なくとも１つの視聴者入力のために構成されている前記少なくとも１つの画像生成器は、各々が各視聴者からの入力に基づいて少なくとも１つのストーリーの筋を変化させるために構成されている複数の画像生成器に接続されている応答性画像供給源を有している、請求項１３記載の装置。
【請求項２０】
前記少なくとも１つのフィルタは、前記インターリーブ型画像ストリームのフレーム速度と同期して所定の期間にわたって開閉する複数のシャッタを有している、請求項１４記載の装置。
【発明の詳細な説明】
【技術分野】
【０００１】
本発明の分野は、動画の表示及び視聴に関し、具体的には、個別の視聴者が完全な一セットの投映された画像ストリームの内の選択されたサブセットのみを知覚するように複数の画像ストリームを表示するための新規で有用な装置及び方法に関するものである。本発明は、遊園地又はテーマ・パークで、また表示スクリーンが使用されている映画館などの場所で使用するのに適している。
【背景技術】
【０００２】
通常のテレビジョン番組又は劇場用映画又は他の「動画」の表示は、スクリーン又は他の表示面上に矢継ぎ早に示される多数の静止画像で構成されている。典型的には、動画を形成する静止画は約２４〜３０フレーム／秒の速度で表示され、またしばしば音と同期させている。これらの画像は動きの効果を与える。と云うのは、人の眼が、約２０フレーム／秒よりも高い速度ではフレーム毎の明確な変化を知覚することができず、これらの変化をぼやけさせて運動錯覚を生じさせるからである。同様に、人の眼は、視覚的持続に起因してほぼ５０フレーム／秒よりも高い速度での明滅を知覚しない。上記の現象は、動画又は映画を作成するために２０世紀初期から使用されている。映画用カメラの発明者であるトーマス・エジソンは、撮影する必要のあるフィルムの量を最少にする必要性と人間の知覚の必要性とを釣り合わせる必要があった。彼は経験的に、１０フレーム／秒が連続した運動の錯覚を与えるのに充分であることを見出した。彼はまた、表示間のフィルムの動きに対処するためのシャッタの開閉によって引き起こされる毎秒１０回のフラッシュが視聴者を極めて不快にさせることを見出した。この現象は、シャッタの開閉をフィルムの各々の１回の動きについて３回にして、視聴者によって快く受け入れられる毎秒３０回のフラッシュを生じさせることによって、簡単に対処された。
【０００３】
現在、一グループの視聴者が通常のテレビジョン又は映画館のスクリーンを見ているとき、各人は同じ画像ストリームを見ることになり、同じ視聴体験を持つ。表示装置は唯一つの画像を作成し、該画像はスクリーンを見ているグループの全ての人によって共有される。
【０００４】
単一のフレーム内に立体画像を形成する２つの異なる画像を持つ三次元（すなわち、３Ｄ）表示装置もまたポピュラーである。画像は、投映される画像についての光偏光によって、又は色によって、又は時系列のシャッタ装置を介して分離することができる。画像が偏光によって分離される場合、一方法は、各々の目についての画像を互いに対して直交偏光することである。視聴者には、それを通して見るための偏光レンズが与えられ、該偏光レンズはその目のための投映画像の偏光と協調させて、各々の目には意図した画像のみが到達するようにする。画像が色によって分離される場合、立体画像の各成分が単一のフレーム内で異なる色で提示される。画像が時系列にされている場合、シャッタ・システムが左側及び右側の画像を逐次的に提示し、そこで視聴者は、適切な画像が照射されたときのみ光が通過できるように投映と同期したシャッタ機構を持つ眼鏡をかける。各々の目に対する画像をフィルタリングするように設計されているレンズを持つ眼鏡をかけた人は、各々の目に１つずつ、フレームの成分画像を見ることになり、そこで人の視覚がこれらの画像を組み合わせて、三次元表現を持つ単一の画像を生成する。３Ｄ画像は、上述の適切なフィルタリング機構を用いずに見たときに変色し且つ歪んでいるように見えることがある。映画館又はテレビジョンのスクリーン上、或いは他の投映面上の通常の２Ｄ画像と同様に、通常の３Ｄ表示を見ている視聴者の全てが同じ画像を見ることになる。
【０００５】
テーマ・パーク及び娯楽施設において客のために個別の又は個人的な体験を生じさせることは重要である。画像ストリームを持つ大型投映スクリーンは、多数の客を特定のテーマの環境内に一度に浸すために使用されている。各々の客は、スクリーンに投映された、会場内の全て他の客が見ているのと同じ画像を見る。各々の客は、多数の人が同時に同じ体験をするので、このような設定環境内では対話型体験が制限される。その上、多数の観客の中の各々の客のための対話型成分を同時に表示して、これにより多数の個別の対話型要素が同じスクリーン空間を同時に共有するようにした場合、結果として混乱が生じ且つ客の体験の大幅な低下が生じるであろう。また更に、大型の表示装置上で対話型要素を順序付けることは、全体験時間が典型的なテーマ・パーク会場内で２〜３分程度の短さであることがあるので、通常は不可能である。
【０００６】
一グループ内の複数のユーザーに個別の視聴体験を提供するための一方法は、仮想体験（ＶＲ）眼鏡を使用することである。ＶＲ眼鏡は、典型的には、各ユーザーの直ぐ目の前に単一の画像を提示し、全ての他の環境はＶＲ眼鏡によって阻止される。ＶＲ眼鏡は、ＶＲ眼鏡についての入力を一意的に行うことができるので、小グループ内の各個人に異なる画像を提示するように使用することができる。しかしながら、ＶＲ眼鏡は、必要とされる装置のコスト及び容積のため、大勢の人に使用するのは現実的ではない。装置は、観客による誤用、並びに他の摩耗及び破損に対する抵抗性を持つように、非常に機械的に頑丈でなければならず、また、使用の度毎に消毒することは、実務的に困難であり且つ装置の寿命を短くする。更に、ヘッドセットを付けている個人は、眼鏡が周囲の全てを遮るので、体験を共有することが困難である。
【先行技術文献】
【特許文献】
【０００７】
【特許文献１】米国特許出願公開第２００４／０５６９４８号
【発明の概要】
【発明が解決しようとする課題】
【０００８】
現在、大勢の人の中で個人又は少人数のグループに対して異なる表現又は体験を効果的に生じさせるための望ましい方法は全く存在していない。従って、同じ表示スクリーン上に、大きなグループ内の個々の客又は小さな選択されたグループの客に対して異なる表現又は環境を与えて、各々の客に満足のいく個人的な体験を生じさせ、これによってテーマ・パーク又は娯楽施設の体験全体を向上させることができるようにする必要性が存在する。
【課題を解決するための手段】
【０００９】
複数の視聴者を楽しませる複数の画像フレームを有している複数の画像ストリームを表示するための装置が提供される。本装置は、各々が複数の画像フレームを有している少なくとも３つの別々の画像ストリームを生成するための少なくとも３つの画像生成器を含み、少なくとも１つの画像生成器は少なくとも１つの視聴者入力のために構成されている。画像マルチプレクサが、各画像ストリームの複数の画像フレームをインターリーブして、インターリーブ型画像ストリームを作成するために設けられ、また、表示装置が、該インターリーブ型画像ストリームを表示するために設けられる。
【００１０】
本発明の特定の一面によれば、インターリーブ型画像ストリームの中の所望のフレームの表示に同期する少なくとも１つのシャッタを有するフィルタリング機構もまた設けられる。フィルタリング機構は、視聴者と表示媒体との間に配置される。
【００１１】
本発明の特定の別の面によれば、インターリーブ型画像ストリームは、全ての視聴者が見ることのできる背景画像ストリームの上に重畳される。視聴者のための画像を組み合わせるために複数の画像投映器が使用されるとき、他の投映器からの画像は、組み合わされた画像に歪みを生じさせないように投映の前に減算することができる。シャッタ式フィルタのような視聴者のフィルタリング機構が、背景画像ストリームとフィルタリング後の画像ストリームの選択されたサブセットとの組合せを通過させる。
【００１２】
本発明の別の実施形態では、複数の視聴者を楽しませるための複数の画像フレームを有している複数の画像ストリームを表示する方法が提供される。本方法は、各々が複数の画像フレームを有する少なくとも３つの別々の画像ストリームを生成し、これらの別々の画像ストリームの内の少なくとも１つに対して少なくとも一人の視聴者からの入力を供給する段階と、各画像ストリームの複数の画像フレームをインターリーブして、インターリーブ型画像ストリームを作成する段階と、前記インターリーブ型画像ストリームを表示する段階と、を有する。
【００１３】
本発明を特徴付ける新規な機能は、本書に添付の「特許請求の範囲」に詳しく指摘している。本発明、並びに本発明の使用によって得られる動作上の利点及び利益をより良く理解できるようにするために、添付の図面及び記述事項を参照する。添付の図面は、本発明の多数の形態の内の数例を示すものである。図面は、本発明を実施し使用することのできる全てのやり方を示そうとするものではない。本発明の様々な構成要素に対して変更及び置換を行い得ることは勿論である。本発明は、記述した要素の部分的組合せ及び部分的システムにも存在し、またそれらの要素を使用する方法にも存在する。
【図面の簡単な説明】
【００１４】
【図１】図１は、本発明の一実施形態に従った表示システムの概要図である。
【図２】図２は、本発明の別の実施形態に従った表示システムの概要図である。
【図３】図３は、本発明の別の実施形態に従ったタイミング図である。
【図４】図４は、本発明の代替実施形態を示すタイミング図である。
【図５】図５は、本発明の更に別の代替実施形態を示すタイミング図である。
【発明を実施するための形態】
【００１５】
次に、図面について説明すると、図面では同じ又は関連する要素を示すために同様な参照数字を用いており、先ず図１は表示システムを示している。表示システムでは、画像３４，３６，３８が画像ストリーム１４，１６，１８にそれぞれ記述されており、これらは組み合わされて単一のインターリーブ型画像ストリーム２０を形成する。画像ストリーム１４，１６，１８の各々は、それぞれ、１４ａ〜１４ｄとラベル付けした複数のフレームＡ１〜Ａ４、１６ａ〜１６ｄとラベル付けした複数のフレームＢ１〜Ｂ４、１８ａ〜１８ｄとラベル付けした複数のフレームＣ１〜Ｃ４を有する。インターリーブ型画像ストリーム２０は、それぞれ各画像ストリーム１４，１６及び１８からの特定の画像フレームに対応する、それぞれ２２ａ〜２２ｃとラベル付けした複数の画像フレームを有する。ここで、各ストリーム１４，１６，１８における画像３４，３６，３８がフレーム１４ａ〜１４ｄ，１６ａ〜１６ｄ，１８ａ〜１８ｄの合間に変化することがあること、又は或る期間にわたって一定に留まることがあること、また、運動錯覚を与えるために、画像３４，３６，３８が時間につれて変化することに留意されたい。各ストリーム１４，１６，１８は任意の数のフレームを持つことができる。各ストリーム１４，１６，１８は、インターリーブ型画像ストリーム２０が終了するまでインターリーブ型画像ストリーム２０が各ストリームについての画像を表示するように、同じ数のフレームを持つことが好ましい。更に、３つの別々の画像ストリーム１４，１６，１８を例示しているが、その数は制限として見なすべきではなく、僅か２つの独立した画像ストリーム１４，１６を用いることができ、或いは複数のストリームを組み合わせて、インターリーブ型画像ストリーム２０を形成することができる。画像ストリーム１４，１６，１８は、インターリーブ型画像ストリーム２０内で任意の順序で組み合わせることができる。すなわち、順序が１，２，３，１，２，３であることは不可欠ではない。組み合わされた画像１４ａ〜１４ｄ，１６ａ〜１６ｄ，１８ａ〜１８ｄの順序は、画像ストリーム１４，１６，１８の内の１つからの特定の数の画像を、目に見えるフレームの変化又はちらつきを防止するのに充分な高い頻度で視聴者に毎秒提示しなければならないという事によって制限されるに過ぎず、また、いずれのフィルタリング機構５０，５２，５４も画像フレーム１４ａ〜１４ｄ，１６ａ〜１６ｄ，１８ａ〜１８ｄの表示順序に同期させる。
【００１６】
図１に例示されているように、画像３４，３６，３８は３つの異なるオブジェクト、すなわち、円筒、立方体及び三角形を表している。本書で更に説明するように、提示される画像３４，３６，３８は全て二次元にするか、又は３Ｄ形態にするか、又は様々な画像の種類の組合せにすることができる。そこで、例えば、円筒３４及び立方体３６の画像は２Ｄ又は３Ｄで提示することができるが、三角形３８は２Ｄ画像である。以下に説明するように、視聴者４０，４２，４４がそれぞれ、２Ｄ又は３Ｄ画像を見るための手段を備えており、システムはそれに対応して動作する。
【００１７】
各オブジェクトの画像を形成するフレーム１４ａ〜１４ｄ，１６ａ〜１６ｄ，１８ａ〜１８ｄは、所定の態様で組み合わされて、インターリーブ型画像ストリーム２０を作成する。もしインターリーブ型画像ストリーム２０をフィルタリングせずに表示した場合、まとまりのない合成画像２３が表示媒体２５上に現れる。表示媒体２５は、ビデオ・スクリーン、投映スクリーン、テレビジョン又はコンピュータのモニタ、或いはインターリーブ型画像ストリーム２０を表示する能力を持つ別の装置であってよい。一代替例では、表示媒体２５は両凸レンズとすることができ、それにより画像ストリーム２０において複数の画像を同時に投映することができ、レンズは、該レンズに対して相対的に異なる物理的位置に居る視聴者に対して画像を分離する。
【００１８】
図１には３人の視聴者４０，４２，４４が示されており、その各々はインターリーブ型画像ストリーム２０を見る。各々の視聴者４０，４２，４４と表示媒体２５との間にはフィルタ機構５０，５２，５４が配置されている。フィルタ機構５０，５２，５４は、各視聴者４０，４２，４４がインターリーブ型画像ストリーム２０内の複数の画像の内の１つのみを見るように動作する。フィルタ機構５０，５２，５４はシャッタ装置であり、それは光学的、電気光学的、機械的又は電気機械的、化学的及び電気化学的装置のいずれかで具現化することができる。フィルタ機構５０，５２，５４は、偏光又は他のフィルタリングのみを行うか、或いはそれらを含むように構成することができる。フィルタ機構５０，５２，５４がシャッタを閉じているとき、何ら画像は通過しないが、シャッタが開いているとき、それぞれの視聴者４０，４２，４４の目で画像を見ることができる。フィルタ機構５０，５２，５４の各々は、フィルタ機構のシャッタ動作をインターリーブ型画像ストリーム２０内の画像ストリーム１４，１６，１８の内の１つの表示と同期させるための同期装置を含み、これにより、特定のフィルタ機構５０，５２，５４を介して見たとき、選択された画像ストリーム１４，１６，１８のみが表示媒体２５上に見える。インターリーブ型画像ストリーム内の各フレーム２２ａ〜２２ｃの表示時間は、視聴者４０，４２，４４が表示媒体２５上に表示された画像３４，３６，３８を依然として解釈することが確実にできるように選択される。例えば、３つの画像３４，３６，３８を組み合わせてインターリーブ型画像ストリーム２０を形成する場合、各フレーム２２ａ〜２２ｃは約１／９０秒にわたって表示することができる。各視聴者４０，４２，４４のためのフィルタリング機構５０，５２，５４は、各視聴者について正確な時間に適切な画像フレーム２２ａ〜２２ｃを通過させ且つ他の画像ストリーム１４，１６，１８からの画像フレーム２２ａ〜２２ｃが見えないようにするために同期させる。シャッタと組み合わせて偏光フィルタを使用すると、実効フレーム速度を二倍にすることができる。
【００１９】
再び、インターリーブされる画像ストリーム１４，１６，１８の数の場合と同様に、図１に例示されている視聴者４０，４２，４４の数は限定するものとして見なすべきではない。任意の数の視聴者４０，４２，４４がインターリーブ型画像ストリーム２０内に含まれている画像ストリーム１４，１６，１８の１つをそれぞれ見ることができる。視聴者４０，４２，４４は全てが同じフィルタリングされた画像３４，３６，３８を見ることができ、或いは各人が異なる１つの画像を見ることができ、そして、他の異なる画像ストリームを、追加の視聴者が見るために供給することができる。視聴者４０，４２，４４は、共有のフィルタ機構５０，５２又は５４を介して、或いは個々のフィルタ機構を介して、共通のフィルタリングされた画像３４，３６，３８を見ることができる。フィルタ機構５０，５２，５４としては、とりわけ、能動シャッタを内蔵する自立したパネル又は窓と、能動シャッタ・レンズを持つゴーグル又は眼鏡を含むヘッドウエアとが挙げられる。随意選択により、フィルタ機構５０，５２，５４は、電気光学的システム又は偏光フィルタであってよい。ここで、システムは、インターリーブ型画像ストリーム２０内の所与の画像３４，３６，３８が任意の視聴者によって見られるようにする必要がないことに留意されたい。
【００２０】
ここで図２について説明すると、図１に示された本発明の随意選択の実施形態を示しており、該実施形態では、２つの画像表示ドライバ又は投映器８５，９５が設けられ、それらの出力が表示媒体２５上で組み合わされる。用語「投映器」には、表面上に画像を作成するために使用される他の画像表示装置、とりわけ、ＬＣＤ及びプラズマ・モニタが含まれるものとする。投映器８５，９５は、３０フレーム／秒以上のフレーム速度で、例えば、約１５０フレーム／秒又はそれよりも高いフレーム速度で、画像を表示する能力を持つものとすることができる。
【００２１】
図２において、共通画像投映器９５が、表示媒体２５上に表示するために供給源９０から単一の画像信号を受け取る。供給源９０からの画像信号はインターリーブされていない。システム内の全ての視聴者は、投映器９５によって作成された同じ画像を見る。多重画像投映器８５が、共通画像投映器９５からの画像と組み合わせて又はオーバーレイして表示媒体２５上に表示するために画像マルチプレクサ８０から複数の画像を含む信号を受け取る。画像マルチプレクサ８０は３つの供給源６４，６６，７０からの信号を組み合わせる。供給源７０は、ユーザー入力６０，６２に応答する画像ストリームを生成する。供給源６４，６６は実時間画像生成器であり、それらは対話型入力６０，６２を使用して、供給源７０からの画像ストリームと組み合わせてインターリーブ型画像ストリーム２０を作成するための画像表示を生成する。供給源７０は供給源６４，６６に応答できるようにして、１つ以上の視聴者の入力に基づいてストーリーの筋に様々な変化を生じさせることができることが理解されよう。この随意選択の機能は、供給源６４，６６と供給源７０との間の破線で示した接続で表されている。
【００２２】
視聴者に対して投映器８５，９５からの画像を適切に表示するために、共通画像投映器９５からのインターリーブ無しのフレーム速度を調節して、各フレームが多重画像投映器８５からのインターリーブされたフレームの１サイクルと同じ長さの時間にわたって表示されるようにすることができる。すなわち、共通画像投映器９５からの画像は、画像マルチプレクサ８０によって組み合わされたインターリーブ型画像ストリームの各々について１フレームを表示するのにかかる時間と同じ長さの時間にわたって表示される。視聴者がフィルタ機構５０を介して共通画像投映器９５及び多重画像投映器からの組み合わされた画像を注視したとき、視聴者は多重画像投映器からの選択された画像ストリームを見ることになる。ここで、各視聴者が正しい組合せ画像を見るためには、供給源６４，６６及び７０からの画像を、投映器９５に送られる供給源９０の画像から減算することができることに留意されたい。すなわち、投映器９５は、組合せ画像を形成するために供給源６４，６６，７０からの画像が投映される場所に穴又は空白部を持つ共通の背景画像を供給する。画像減算は、視聴者が表示媒体２５上に色の歪んだ画像を見ることがないようにするのに不可欠である。
【００２３】
一例として、図２に例示されているような発明は、呼び物の催しにおける客がユーザー入力６０又は６２をシステムに供給するような対話型体験を提供するために用いることができる。ユーザー入力６０，６２は実時間画像生成器６４，６６を駆動して、多重化し表示することのできる画像ストリームを生じさせる。一実施形態では、ユーザー入力は、表示媒体２５上に表示される画像ストリームにおいて標的のオブジェクトを狙って撃つことを模擬体験するためのゲーム用銃とすることができる。画像マルチプレクサ８０が、応答性供給源７０によって生成された標的の画像と、ゲーム用銃（ユーザー入力６０，６２）によって発射された「銃弾」に対応する画像とを組み合わせる。多重化された画像ストリームは、ユーザー入力により生成された画像６４，６６を応答性供給源の画像７０と組み合わせて、単一のストリームを形成する。図２に示されているように、各々が１つのユーザー入力６０，６２を持つ２人のユーザーが居る場合、彼らの銃弾に対応する画像は多重化された画像ストリームの中にインターリーブすることができ、またユーザーは、たとえ各々が同じ表示媒体２５上で遊んでいてもユーザー自身の銃弾のみを見るように、フィルタ機構５０，５２，５４を装着することができる。多重化された画像ストリームは、例えば、供給源９０で生成されて投映器９５によって投映又は表示される背景画像と同時に、投映器８５によって投映又は表示される。
【００２４】
再び図１を参照して説明すると、更に別の実施形態では、画像ストリーム１４，１６，１８が、三次元画像を生成するフレーム１４ａ〜１４ｄ，１６ａ〜１６ｄ，１８ａ〜１８ｄで構成される。これらのフレームは、三次元画像を生成するときに知られているように、左目用と右目用の画像に分割される。すなわち、一方の一組のフレームは視聴者の左目のみによって見ることを意図したものであり、且つ他方の一組のフレームは視聴者の右目のみによって見るものとする。各画像ストリーム１４，１６，１８のフレームは、それらがインターリーブされているとき、各視聴者のための対応する左目用及び右目用の画像が相次いで表示されるように配列する。フィルタ機構５０，５２，５４は各視聴者４０，４２，４４に提供されて、各視聴者が三次元画像を見るように所望の画像ストリームと同期して一度に視聴者の目の一方のみを選択的に露出させる。フィルタ機構５０，５２，５４は、所望の画像を阻止又は通過させるために、偏光、電気的又は機械的シャッタ、或いはそれらの幾つかの組合せを使用することができる。
【００２５】
図３は、視聴者のフィルタリング機構５０，５２，５４の各レンズに対するシャッタＬ１，Ｒ１；Ｌ２，Ｒ２；Ｌ３，Ｒ３の状態を示したタイミング図である。タイミング図において、「０」は、シャッタが閉じていることを表し、また「１」は、シャッタが開いていることを表す。図から分かるように、本例では、どの時間においても６つのシャッタＬ１，Ｒ１；Ｌ２，Ｒ２；Ｌ３，Ｒ３の内の唯１つのシャッタのみが開いている。シャッタＬ１，Ｒ１；Ｌ２，Ｒ２；Ｌ３，Ｒ３は、対応する画像ストリームのフレームが表示されるのと同じ順序で逐次的に開かれる。選択されたシャッタＬ１，Ｒ１；Ｌ２，Ｒ２；Ｌ３，Ｒ３の開放は、対応する画像フレームと同期させる。例えば、シャッタＬ１が開いている間、第１のストリームの左目用画像が時間１に表示され、次いでシャッタＲ１が開いているとき、第１のストリームの右目用画像が時間２に表示され、次いでシャッタＬ２が開いているとき、第２のストリームの左目用画像が時間３に表示されるという風に続く。この代わりに、全ての左目用画像フレームが表示された後に、全ての右目用画像フレームが表示されるように、画像ストリームの左目用及び右目用画像フレームをインターリーブすることができる。また他の画像インターリーブ・パターンも可能である。
【００２６】
図３に示されているように、３人の視聴者の場合、各々のシャッタは約１／１８０秒にわたって開くことができ、その時間の間に、インターリーブ型三次元画像ストリームの対応する画像フレームが表示媒体２５上に表示される。図１及び図３に示されているような３視聴者システムでは、各視聴者は各々の目で１／１８０秒にわたってフィルタリングされた画像を見ることになり、各視聴者の目は、各視聴者について３０フレーム／秒のフレーム速度の場合、１／３０秒毎に新しい画像に露出される。
【００２７】
更に別の態様では、図２の対話型システムにおいて三次元画像ストリームを用いることができる。このような場合、フィルタ５０，５２，５４は、視聴者の各々の目のために独立のシャッタＬ１，Ｒ１；Ｌ２，Ｒ２；Ｌ３，Ｒ３を持つ別々のレンズを取り入れるように構成され、これらのシャッタは図３に示されているように作動される。結果として、各視聴者は、供給源９０からの共通の又は背景の画像の上にオーバーレイされた三次元画像を見る。これによって、三次元の個別の対話型体験が、単一の表示媒体を使用して提供される。
【００２８】
図４及び図５は、シャッタＬ１，Ｒ１；Ｌ２，Ｒ２；Ｌ３，Ｒ３を開閉するための異なる順序を用いる更に別のタイミング図を示す。図４に見られように、シャッタ動作順序は、左側のシャッタＬ１ではなく、右側のシャッタＲ１から開始し、順序はＲ２及びＲ３に続く。右側のレンズＲ１，Ｒ２，Ｒ３の後に、左側のレンズＬ１，Ｌ２，Ｌ３が順に開く。図５では、シャッタの開放は、Ｒ３で開始し、次いでＬ３に続き、更にＲ２，Ｌ２及びＲ１，Ｌ１へと順に続く。ここで明確にすべきことは、シャッタの動作順序についての唯一の制約が、単に、フィルタ機構５０，５２，５４の一方の側のシャッタを、反対側のシャッタが１回作動される前に、２回作動すべきではないということであり、これにより、各視聴者の目は所与のフレームについて調和のとれた画像に露出されることになる。
【００２９】
これまで本発明を好ましい実施形態に関して説明したが、本発明に関連する技術分野で通常の知識を有する者には、本発明の技術的範囲から逸脱することなくそれらの実施形態に対して種々の変更又は置換を行うことができよう。従って、本発明の技術的範囲は、上述の実施形態ばかりでなく、特許請求の範囲内に入る全てのもを包含する。
【符号の説明】
【００３０】
１４  画像ストリーム
１４ａ〜１４ｄ  フレーム
１６  画像ストリーム
１６ａ〜１６ｄ  フレーム
１８  画像ストリーム
１８ａ〜１８ｄ  フレーム
２０  インターリーブ型画像ストリーム
２２ａ〜２２ｃ  画像フレーム
２３  合成画像
２５  表示媒体
３４  画像
３６  画像
３８  画像
４０  視聴者
４２  視聴者
４４  視聴者
５０  フィルタリング機構
５２  フィルタリング機構
５４  フィルタリング機構
６０  ユーザー入力
６２  ユーザー入力
６４  供給源
６６  供給源
７０  供給源
８０  画像マルチプレクサ
８５  多重画像投映器
９０  供給源
９５  共通画像投映器
【図１】
2010512058.tif 000003
【図２】
2010512058.tif 000004
【図３】
2010512058.tif 000005
【図４】
2010512058.tif 000006
【図５】
2010512058.tif 000007
【国際調査報告】
2010512058.tif 000008
2010512058.tif 000009
2010512058.tif 000010